(57)【特許請求の範囲】
【請求項１】
第１のメモリと第２のメモリの２つの異なるメモリを有する携帯端末であって、前記携帯端末の位置情報を取得し、前記携帯端末の位置情報が変更になると、変更後の位置情報を含む位置履歴を前記第１のメモリに記憶する位置履歴記憶手段と、ユーザが前記携帯端末の機能を使用すると、前記携帯端末の機能が使用されたときの前記位置履歴に対応付けて、ユーザが使用した前記携帯端末の機能を少なくとも示す行動情報を含む行動履歴を前記第２のメモリに記憶する行動履歴記憶手段を備え、
前記行動履歴記憶手段は、ユーザが前記携帯端末の機能を使用した使用量を取得し、前記使用量から決定した重要度を前記行動情報に含ませ、更に、前記使用量から決定した重要度をこの時点の位置情報に対応する前記位置履歴に記憶させる、
ことを特徴とする携帯端末。
【請求項２】
前記位置履歴記憶手段は、前記位置履歴を前記第１のメモリに記憶する際の日時を前記位置履歴に含ませ、前記行動履歴記憶手段は、前記行動履歴を前記第２のメモリに記憶する際の日時を前記行動履歴に含ませることを特徴とする、請求項１に記載した携帯端末。
【請求項３】
前記位置履歴記憶手段は、前記携帯端末の位置情報が変更になるまでの時間を滞在時間として計測し、前記携帯端末の位置情報が変更になると、変更前の位置情報に係る前記位置履歴に前記滞在時間を記憶させることを特徴とする、請求項１または請求項２に記載した携帯端末。
【発明の詳細な説明】
【技術分野】
【０００１】
本発明は、携帯電話やスマートフォンに代表される携帯端末に関する発明で、更に詳しくは、ユーザの位置履歴に加え、ユーザが使用した携帯端末の機能を示す行動履歴を記憶する発明である。
【背景技術】
【０００２】
携帯端末の位置を携帯端末のメモリに記憶し、メモリに記憶した位置をサービス事業者に提供することが広く行われるようになったが、携帯端末の位置ばかりでなく、ユーザが実行した行動をもサービス事業者に提供できるようにする試みも検討されている。
【０００３】
例えば、特許文献１では、ユーザが所定の動作を携帯端末上で実施すると、ユーザが実施した動作を示す行動情報（種別情報）に、ユーザが動作を実施したときの位置情報と時間情報などを関連付けた行動履歴を携帯端末の記憶媒体に記憶する発明が開示されている。
【０００４】
しかし、携帯端末側で記憶する行動履歴には、ユーザが行った行動を直接的に示す行動情報やユーザの位置情報などプライバシー性がそれぞれ異なる情報が含まれているにも係わらず、行動履歴は同一のメモリに記憶されるため、行動履歴を提供するサービス事業者に行動履歴の利用を許可すると、本来は該サービス提供者にユーザが提供したくない情報までも該サービス事業者に提供することになってしまう問題があった。
【先行技術文献】
【特許文献】
【０００５】
【特許文献１】特開２００７-３１８４５４号公報
【発明の概要】
【発明が解決しようとする課題】
【０００６】
そこで、本発明は、携帯端末のメモリに記憶した位置履歴の付加情報として、位置情報で特定されるエリアにてユーザが実施した行動を少なくとも示す行動履歴を記憶でき、位置履歴と行動履歴を個別にサービス事業者にユーザが提供することのできる携帯端末を提供することを目的とする。
【課題を解決するための手段】
【０００７】
第１の発明は、第１のメモリと第２のメモリの２つの異なるメモリを有する携帯端末であって、上述しから課題を解決するために、前記携帯端末の位置情報を取得し、前記携帯端末の位置情報が変更になると、変更後の位置情報を含む位置履歴を前記第１のメモリに記憶する位置履歴記憶手段と、ユーザが前記携帯端末の機能を使用すると、前記携帯端末の機能が使用されたときの前記位置履歴に対応付けて、ユーザが使用した前記携帯端末の機能を少なくとも示す行動情報を含む行動履歴を前記第２のメモリに記憶する行動履歴記憶手段を備え、前記行動履歴記憶手段は、ユーザが前記携帯端末の機能を使用した使用量を取得し、前記使用量から決定した重要度を前記行動情報に含ませ、更に、前記使用量から決定した重要度をこの時点の位置情報に対応する前記位置履歴に記憶させることを特徴とする。
【００１０】
更に、第２の発明は、第１の発明に記載した携帯端末において、前記位置履歴記憶手段は、前記携帯端末の位置情報で特定されるエリアにユーザがいた日時を前記位置履歴に含ませ、ユーザが前記携帯端末の機能を使用した日時を行動履歴に含ませることができるように、前記位置履歴を前記第１のメモリに記憶する際の日時を前記位置履歴に含ませ、前記行動履歴記憶手段は、前記行動履歴を前記第２のメモリに記憶する際の日時を前記行動履歴に含ませることを特徴とする。
【００１１】
更に、第３の発明は、第１の発明または第２の発明に記載した携帯端末において、前記携帯端末の位置情報で特定されるエリアにユーザが滞在した滞在時間を前記位置履歴に含ませることができるように、前記位置履歴記憶手段は、前記携帯端末の位置情報が変更になるまでの時間を滞在時間として計測し、前記携帯端末の位置情報が変更になると、変更前の位置情報に係る前記位置履歴に前記滞在時間を記憶させることを特徴とする。
【発明の効果】
【００１２】
上述した本発明によれば、携帯端末の機能が使用されたときの位置履歴に対応付けて、ユーザが使用した携帯端末の機能を少なくとも示す行動情報を含む行動履歴が第２のメモリに記憶されるため、携帯端末のメモリに記憶した位置履歴の付加情報として、位置情報で特定されるエリアにてユーザが実施した行動を少なくとも示す行動履歴を記憶できる。また、位置履歴と行動履歴を個別のメモリに記憶することで、位置履歴と行動履歴を個別にサービス事業者にユーザが提供することができる。
【図面の簡単な説明】
【００１３】
【図１】本実施形態の携帯端末の外観を説明する図。
【図２】本実施形態の携帯端末が有するハードウェアを説明する図。
【図３】本実施形態の携帯端末に備えられた機能を説明する図。
【図４】本実施形態に係る位置履歴を説明する図。
【図５】携帯端末の位置履歴記憶手段の動作を説明する図。
【図６】本実施形態に係る行動履歴を説明する図。
【図７】携帯端末の行動履歴記憶手段の動作を説明する図。
【発明を実施するための形態】
【００１４】
ここから、本発明にかかる携帯端末の好適な実施形態について、図面を参照しながら詳細に説明する。なお、これから説明する実施形態は本発明の一実施形態にしか過ぎず、本発明は，これから説明する実施形態に限定されることなく、種々の変形や変更が可能である。
【００１５】
図１は、本実施形態の携帯端末１の外観を説明する図で、図２は、本実施形態の携帯端末１が有するハードウェアを説明する図で、図３は、本実施形態の携帯端末１に備えられた機能を説明する図である。
【００１６】
図１に図示したように、本実施形態の携帯端末１は、携帯電話やスマートフォンなどのようにユーザが常時携帯し、ネットワーク４上の無線基地局４ａと無線通信する装置を利用して実現される情報端末で、本実施形態の携帯端末１の内部には、電話番号などの契約者情報が記憶されているＵＳＩＭカード２（Universal Subscriber Identity Module Card）と、ＳＤカード（登録商標）のようなデータ記憶媒体であるメモリカード３が実装されている。
【００１７】
また、図２に図示したように、本実施形態の携帯端末１は、ハードウェアとして、ＣＰＵ、ＲＡＭ、ＲＯＭなどが実装されたプロセッサ１０を備え、このプロセッサ１０には、無線基地局４ｂと無線通信するためのＲＦ回路１１と、ＧＰＳ衛星５からの電波を利用して緯度・経度を計測するＧＰＳ回路１２と、フラッシュメモリなどのメモリ１３と、時刻を計測する時計回路１４と、情報を表示するディスプレイ１５と、ユーザが携帯端末１を操作するためのキーパッド１６と、アンテナコイル１７ａが接続され近接型非接触用のサービスに利用される非接触ＩＣチップ１７が接続され、ＵＳＩＭカード２はＵＳＩＭカード用スロット１８を介してプロセッサ１０と接続し、メモリカード３はメモリカード用スロット１９を介してプロセッサ１０と接続している。
【００１８】
携帯端末１のメモリ１３には、電子メール、電話、電子マネー、定期券、ブラウザなど携帯端末１の機能を実現するためのアプリケーションが記憶され、本実施形態では、これらのアプリケーションに加え、位置履歴を記憶するアプリケーションが含まれる。
【００１９】
図３に図示したように、位置履歴を記憶するアプリケーションで実現される機能として、本実施形態の携帯端末１には、携帯端末１の位置情報を取得し、携帯端末１の位置情報が変更になると、携帯端末１の位置情報を少なくとも含む位置履歴を第１のメモリ（ここでは、ＵＳＩＭカード２）に記憶する位置履歴記憶手段１００と、ユーザが携帯端末１の機能を使用すると、携帯端末１の機能を使用したときの位置履歴に関連付けて、ユーザが使用した携帯端末１の機能を示す行動情報を少なくとも含む行動履歴をＵＳＩＭカード２とは異なる第２のメモリ（ここでは、メモリカード３）に記憶する行動履歴記憶手段１０１が備えられる。
【００２０】
位置履歴とは別のメモリに行動履歴を記憶するのは、プライバシー性に応じて情報を記憶するメモリを変えるためである。行動履歴は、ユーザが実際に実行した行動を直接示す情報であるためプライバシー性は高く、位置履歴は、ユーザが実際に実行した行動を直接示す情報でなくプライバシー性は低いと考えられるため、本実施形態では、プライバシー性の高い行動履歴をメモリカード３に記憶し、プライバシー性の低い位置履歴をＵＳＩＭカード２に記憶することで、携帯端末１を所持するユーザが、プライバシー性に応じて情報の提供の有無を決定できるようにしている。
【００２１】
なお、本実施形態では、携帯端末１の通信事業者が位置履歴を利用できるように、プライバシー性の低い位置履歴を記憶する第１のメモリをＵＳＩＭカード２としているが、第１のメモリは携帯端末の基板上に直接実装されたメモリ１３であってもよい。
【００２２】
次に、携帯端末１の動作について説明する。携帯端末１の位置履歴記憶手段１００は、位置履歴記憶手段１００として機能するアプリケーションが携帯端末１上で起動している間、位置履歴を第１のメモリに登録する位置履歴記憶処理を実行する。
【００２３】
図４は、本実施形態に係る位置履歴を説明する図である。図４に図示したように、本実施形態に係る位置履歴には、位置履歴を識別するための位置履歴識別子と、携帯端末１の位置情報に加え、位置履歴を記憶するときの日時情報と、携帯端末１の位置情報にユーザがいた時間を示す滞在時間と、携帯端末１の位置情報にユーザがいた時にユーザが使用した携帯端末１の機能に係る重要度が含まれる。
【００２４】
位置履歴に含まれる日時情報、滞在時間及び重要度は位置情報の属性情報で、これらの情報は、位置履歴が提供されたサービス事業者側で位置情報を集計する際のキーとして用いることができる。
【００２５】
図５は、携帯端末１の位置履歴記憶手段１００の動作を説明する図である。位置履歴記憶処理において、まず、携帯端末１の位置履歴記憶手段１００は、携帯端末１が有するＧＰＳ回路１２が計測した経度・緯度を取得し、ＧＰＳ回路１２が計測した経度・緯度から携帯端末１の位置情報を取得する（Ｓ１）。
【００２６】
本実施形態において、携帯端末１の位置情報とはユーザのいるエリアを示す情報で、ＧＰＳ回路１２が計測した経度・緯度を所定の有効桁に丸めた値を携帯端末１の位置情報として用いることもできるし、ＧＰＳ回路１２が計測した経度・緯度に対応する住所を携帯端末１の位置情報として用いることもできる。
【００２７】
なお、本実施形態では、ＧＰＳ衛星５を利用してＧＰＳ回路１２が計測する緯度・経度から携帯端末１の位置情報を取得するが、携帯端末１が無線通信する無線基地局４ａの識別子を携帯端末１の位置情報として利用することもできる。
【００２８】
携帯端末１の位置履歴記憶手段１００は、携帯端末１の位置情報を取得すると、最新の位置履歴の位置情報と今回の携帯端末１の位置情報が同一であるか確認し（Ｓ２）、携帯端末１の位置情報が変更になった場合、携帯端末１の位置履歴記憶手段１００は、位置履歴識別子に利用するシリアル番号をインクリメントするなどして位置履歴識別子を生成し、生成した位置情報識別子、携帯端末１の位置情報、この時点の日時情報が記された位置履歴をＵＳＩＭカード２に記憶し、図４のＳ１に戻る。また、携帯端末１の位置履歴記憶手段１００は、携帯端末１の位置情報が変更になっていない場合、位置履歴をＵＳＩＭカード２に記憶することなく、図４のＳ１に戻る。
【００２９】
なお、位置履歴の記憶を終了する操作がなされると、携帯端末１の位置履歴記憶手段１００は位置履歴登録処理を終了して、図４の手順は終了する。
【００３０】
携帯端末１の位置履歴記憶手段１００は、位置履歴をＵＳＩＭカード２に記憶した時点では滞在時間を初期値（例えば、「０秒」）とし、携帯端末１の位置情報が変更になると、位置履歴がＵＳＩＭカード２に記憶した時点から携帯端末１の位置情報が変更になった時点までの時間を滞在時間として変更前の位置履歴に書き込む。
【００３１】
また、携帯端末１の位置履歴記憶手段１００は、位置履歴をＵＳＩＭカード２に記憶された時点では重要度を空とし、ユーザが携帯端末１の機能を使用すると、行動履歴記憶手段１０１によって、この時点の位置履歴に重要度が書き込まれる。
【００３２】
次に、携帯端末１の位置履歴記憶手段１００について説明する。携帯端末１の位置履歴記憶手段１００が位置履歴を登録する処理を行っている間、携帯端末１の行動履歴記憶手段１０１は、携帯端末１で実行される操作を監視し、携帯端末１の機能が使用されると、行動履歴記憶手段１０１は、携帯端末１で使用された携帯端末１の機能に係る行動履歴をメモリカード３に記憶する行動履歴記憶処理を行う。
【００３３】
図６は、本実施形態に係る行動履歴を説明する図である。図６に図示したように、メモリカード３に記憶される行動履歴には、ユーザが携帯端末１の機能を使用した時の位置情報に対応した位置履歴の位置履歴識別子と、行動履歴を登録する時点の日時情報と、ユーザが使用した携帯端末１の機能に係る行動情報と、すでに説明している重要度が含まれる。
【００３４】
メモリカード３に記憶させる行動情報は、少なくとも、ユーザが使用した携帯端末１の機能を示す情報で、例えば、ユーザが使用した機能が電子メールならば、電子メールを示す情報が行動情報に含まれ、また、ユーザが使用した機能がカメラならば、カメラを示す情報が行動情報に含まれることになる。
【００３５】
図７は、携帯端末１の行動履歴記憶手段１０１の動作を説明する図である。メモリカード３に行動履歴を登録する行動履歴記憶処理において、携帯端末１の行動履歴記憶手段１０１は、ユーザが携帯端末１で行う操作を監視し、ユーザが携帯端末１の機能を使用すると、ユーザが使用した携帯端末１の機能に係る行動情報と使用量を取得する（Ｓ１０）。
【００３６】
本実施形態では、携帯端末１の行動履歴記憶手段１０１には、携帯端末１の機能が携帯端末１で使用されたことを携帯端末１の行動履歴記憶手段１０１が判定できるように、行動履歴の取得が可能な携帯端末１の機能毎に、該携帯端末１の機能に対応するアプリケーションとそのアプリケーションに係るユーザの操作が登録されている。
【００３７】
そして、携帯端末１の行動履歴記憶手段１０１は、携帯端末１上で起動しているアプリケーションが、行動履歴を取得するアプリケーションとして登録されている機能に対応するアプリケーションで、かつ、ユーザが実行した操作が該アプリケーションに設定されている操作であるとき、行動履歴の取得対象となる携帯端末１の機能が携帯端末１で使用されたと判定し、ユーザが使用した携帯端末１の機能に係る行動情報と使用量を取得する。
【００３８】
例えば、携帯端末１の機能に対応するアプリケーションが電話の場合、携帯端末１の行動履歴記憶手段１０１は、ユーザが電話をかけると、携帯端末１の機能が使用されたと判定し、電話を示す行動情報と通話時間を使用量として取得する。
【００３９】
また、携帯端末１の機能に対応するアプリケーションが電子マネーの場合、携帯端末１の行動履歴記憶手段１０１は、ユーザが電子マネーによる決済を行うと、携帯端末１の機能が使用されたと判定し、電子マネーを示す行動情報と電子マネーの決済金額を使用量として取得する。
【００４０】
次に、行動履歴記憶手段１０１は、ユーザが使用した携帯端末１の機能に係る重要度を決定する（Ｓ１１）。
【００４１】
本実施形態では、携帯端末１の行動履歴記憶手段１１は、携帯端末１の機能に係る量から重要度を決定する。例えば、ユーザが使用した携帯端末１の機能が電話ならば通話時間に応じて重要度を決定するようにすればよく、また、ユーザが使用した携帯端末１の機能が電子マネーならば電子マネーの決済金額に応じて重要度を決定するようにすればよい。
【００４２】
そして、携帯端末１の行動履歴記憶手段１０１は、ＵＳＩＭカード２を参照し、日時情報が最新の位置履歴に重要度を書き込んだ後（Ｓ１２）、該位置履歴から位置履歴識別子を取得し（Ｓ１３）、取得した位置履歴識別子、このときの日時情報、行動情報及び重要度を含む行動履歴をメモリカード３に記憶して（Ｓ１４）、行動履歴記憶処理を終了する。
【００４３】
以上より、本実施形態では、プライバシー性の高い行動履歴をメモリカード３に記憶し、プライバシー性の低い位置履歴をＵＳＩＭカード２に記憶することで、携帯端末１を所持するユーザが、プライバシー性に応じて情報の提供の有無を決定することができる。
【００４４】
また、位置履歴には、ユーザの行動により決定される重要度を含ませている。重要度は実際にどのような行動を行ったかが判断できる詳細情報ではない。よって、サービス事業者は位置履歴のみであっても詳細なプライバシー情報を知ることなく、特定の場所で、どれだけ重要な行動が行なわれたかを把握することができる。
【００４５】
この位置履歴の重要度は、例えば、サービス事業者が、通信ネットワークの強化を計画する際の、基地局設置位置の判断や、通信トラフィックの把握、地域限定サービスの提供、広告メールの送信等に活用することが可能となる。
【符号の説明】
【００４６】
１    携帯端末
１２  ＧＰＳ回路
１００  位置履歴記憶手段
１０１  行動履歴記憶手段
２    ＵＳＩＭカード
３    メモリカード
【図１】
0005928693.tif 000002
【図２】
0005928693.tif 000003
【図３】
0005928693.tif 000004
【図４】
0005928693.tif 000005
【図５】
0005928693.tif 000006
【図６】
0005928693.tif 000007
【図７】
0005928693.tif 000008